(57)【要約】      （修正有）【課題】単純な構造で熱的／電気的要件を満たす、超伝導ケーブル用の終端部を提供する。【解決手段】超伝導ケーブルは、冷却剤を運ぶ管状のクライオスタット内に配置され、少なくとも１つの電気伝導体を有する。超伝導ケーブルの終端部は内側シースと外側シースを有し、内側シース内ではケーブルの一方の端部が冷却剤中に配置され、内側シースおよび外側シースは電気絶縁材料からなり、内側シースと外側シースの間に存在する中間空間内に断熱材が配置される。内側シースはクライオスタットに接続され、終端部は組み立て位置で垂直に配置され、組み立て位置は、内側シースおよび外側シースの下側部分が接地電位に接続され、内側シースおよび外側シースの上側部分が動作状態で高電位に接続されるようなものである。各上端で、内側シースは、第１の破裂ディスクによって閉鎖され、外側シースは、第２の破裂ディスクによって閉鎖される。【選択図】なし【特許請求の範囲】
【請求項１】
超伝導ケーブル（２）用の終端部（１）において、前記超伝導ケーブル（２）は、冷却剤を運ぶ働きをする管状のクライオスタット内に配置され、少なくとも１つの電気伝導体を有し、前記終端部（１）は内側シース（３）と外側シース（４）を有し、前記内側シース（３）内では前記ケーブル（２）の一方の端部が冷却剤の中に配置され、前記内側シースおよび前記外側シース（３、４）は電気絶縁材料からなり、前記内側シースと前記外側シースの間に存在する中間空間（５）内に断熱材が配置され、前記内側シース（３）は前記クライオスタットに接続され、前記終端部（１）は組み立て位置で垂直に配置され、前記組み立て位置は、前記内側シースおよび前記外側シース（３、４）の下側部分（Ｃ）が接地電位に接続され、前記内側シースおよび前記外側シース（３、４）の上側部分（Ａ）が動作状態で高電位に接続されるようなものである、終端部（１）であって、
前記内側シースおよび前記外側シースの各上端で、前記内側シース（３）は、第１の破裂ディスク（３ａ）によって閉鎖され、前記外側シース（４）は、第２の破裂ディスク（４ａ）によって閉鎖されることを特徴とする、終端部（１）。
【請求項２】
超伝導ケーブル（２）用の終端部（１）において、前記超伝導ケーブル（２）は、冷却剤を運ぶ働きをする管状のクライオスタット内に配置され、少なくとも１つの電気伝導体を有し、前記終端部（１）は内側シース（３）と外側シース（４）を有し、前記内側シース（３）内では前記ケーブル（２）の一方の端部が冷却剤の中に配置され、前記内側シースおよび前記外側シース（３、４）は電気絶縁材料からなり、前記内側シースと前記外側シースの間に存在する中間空間（５）内に断熱材が配置され、前記内側シース（３）は前記クライオスタットに接続され、前記終端部は組み立て位置で垂直に配置され、前記組み立て位置は、前記内側シースおよび前記外側シース（３、４）の下側部分（Ｃ）が接地電位に接続され、前記内側シースおよび前記外側シース（３、４）の上側部分（Ａ）が動作状態で高電位に接続されるようなものである、終端部（１）であって、
前記内側シースおよび前記外側シースの各上端で、前記内側シース（３）は、内側終端プレート（１８）によって閉鎖され、前記外側シース（４）は、外側終端プレート（１９）によって閉鎖され、前記ケーブル（２）の前記少なくとも１つの導体が前記内側終端プレート（１８）に電気的に接続され、前記内側終端プレート（１８）が前記外側終端プレート（１９）に電気的に接続されることを特徴とする、終端部（１）。
【請求項３】
前記ケーブル（２）の前記少なくとも１つの導体が、プラグ（１７）によって前記内側終端プレート（１８）に接続されることを特徴とする、請求項２に記載の終端部（１）。
【請求項４】
前記内側終端プレート（１８）が、プラグ（２０ｂ）または可撓性を有する導体リボン（２０ａ）によって、前記外側終端プレート（１９）に接続されることを特徴とする、請求項２または３に記載の終端部（１）。
【請求項５】
前記ケーブルの前記端部の前記少なくとも１つの導体が、外側に向かって側方に延びる第１の接触要素（７）に、電気的に接続されることを特徴とする、請求項１から４のいずれか一項に記載の終端部（１）。
【請求項６】
前記ケーブルの前記端部のシールド導体が、外側に向かって側方に延びる第２の接触要素（８）に、電気的に接続されることを特徴とする、請求項１から５のいずれか一項に記載の終端部（１）。
【請求項７】
冷却剤が、電気絶縁材料からなる冷却管（１５）によって、前記終端部（１）の接地電位に接続された下側部分（Ｃ）から、前記終端部の内部を、高電圧の上側部分（Ａ）まで案内されることを特徴とする、請求項１から６のいずれか一項に記載の終端部（１）。
【請求項８】
前記冷却管（１５）が、前記内側シース（３）の内部に延び、前記内側シースに対して同心に配置されることを特徴とする、請求項７に記載の終端部（１）。
【請求項９】
前記中間空間（５）に配置された前記断熱材が、固体で構成されることを特徴とする、請求項１から８のいずれか一項に記載の終端部（１）。
【請求項１０】
大気圧に対する陰圧が、前記中間空間（５）に生成されることを特徴とする、請求項１から９のいずれか一項に記載の終端部（１）。
【請求項１１】
超伝導ケーブル（２）用の終端部（１）を組み立てる方法において、前記超伝導ケーブル（２）は、冷却剤を運ぶ働きをする管状のクライオスタット（３２）内に配置され、少なくとも１つの電気伝導体を有し、前記終端部（１）は内側シース（３）と外側シース（４）を有し、前記内側シース（３）内では前記ケーブル（２）の一方の端部が冷却剤の中に配置され、前記内側シースおよび前記外側シース（３、４）は電気絶縁材料からなり、前記内側シースと前記外側シースの間に存在する中間空間（５）内に断熱材が配置され、前記内側シース（３）は前記クライオスタットに接続され、前記終端部（１）は組み立て位置で垂直に配置され、前記組み立て位置は、前記内側シースおよび前記外側シース（３、４）の下側部分（Ｃ）が接地電位に接続され、前記内側シースおよび前記外側シース（３、４）の上側部分（Ａ）が動作状態で高電位に接続されるようなものである、方法であって、
前記ケーブル・クライオスタット（３２）に接続される高い可撓性を有するクライオスタット（３０）が、水平位置で、前記ケーブルの前記端部に嵌められ、前記可撓性を有するクライオスタット（３０）は、２つの高い可撓性を有する管で構成され、それらの管は、互いに同心に配置され、真空断熱された間隙（３１）によって互いに分離されており、
前記終端部（１）が、前記ケーブルの前記端部と、前記ケーブルの前記端部に取り付けられた前記高い可撓性を有するクライオスタット（３０）とに、水平位置で接続され、
次に、前記終端部（１）が、組み立て済みの状態で垂直位置に移され、前記高い可撓性を有するクライオスタット（３０）とその中に位置する前記ケーブル（２）が、折り曲げられることを特徴とする、方法。
【請求項１２】
超伝導ケーブル（２）用の終端部（１）を組み立てるための接続クライオスタット（３０）において、前記超伝導ケーブル（２）は、冷却剤を運ぶ働きをする管状のケーブル・クライオスタット内に配置され、少なくとも１つの電気伝導体を有し、前記終端部（１）は内側シース（３）と外側シース（４）を有し、前記内側シース（３）内では前記ケーブル（２）の一方の端部が冷却剤の中に配置され、前記内側シースおよび前記外側シース（３、４）は電気絶縁材料からなり、前記内側シースと前記外側シースの間に存在する中間空間（５）内に断熱材が配置され、前記内側シース（３）は前記ケーブル・クライオスタットに接続され、前記終端部（１）は組み立て位置で垂直に配置され、前記組み立て位置は、前記内側シースおよび前記外側シース（３、４）の下側部分（Ｃ）が接地電位に接続され、前記内側シースおよび前記外側シース（３、４）の上側部分（Ａ）が動作状態で高電位に接続されるようなものである、接続クライオスタット（３０）であって、
前記接続クライオスタット（３０）が、２つの高い可撓性を有する管で構成され、前記管が、互いに同心に配置され、真空断熱された間隙（３１）によって互いに分離され、
前記接続クライオスタット（３０）が、前記ケーブルの前記端部に嵌められ、一方の端部が前記内側シース（３）に、もう一方の端部が前記ケーブル・クライオスタットに接続され、
前記接続クライオスタット（３０）が、水平に配置された前記ケーブル（２）と垂直に配置された前記終端部（１）との間の組み立て位置で折り曲げられることを特徴とする、接続クライオスタット（３０）。
【発明の詳細な説明】
【技術分野】
【０００１】
本発明は、超伝導ケーブル用の終端部に関し、上記超伝導ケーブルは、冷却剤を運ぶ働きをする管状のクライオスタット内に配置され、少なくとも１つの電気伝導体を有し、上記終端部は内側シースと外側シースを有し、上記内側シース内では上記ケーブルの一方の端部が冷却剤の中に配置され、上記両シースは電気絶縁材料からなり、上記内側シースと上記外側シースの間に存在する中間空間内に断熱材が配置され、上記内側シースは上記クライオスタットに接続される。上記終端部は動作状態で垂直に配置され、上記外側および内側シースの下側部分が接地電位に接続され、上記両シースの上側部分が高電位に接続される。本発明はさらに、超伝導ケーブル用の終端部を組み立てる方法に関する。
【背景技術】
【０００２】
例えば高電圧電気系統などで使用するための超伝導ケーブルは、十分に低い温度で超伝導状態に切り替わる材料からなる１つまたは複数の電気伝導体を有する。この少なくとも１つの導体はまた、超伝導材料と常伝導材料の組合せでも構成されうる。超伝導ケーブルの複数の導体は通常、同心に配置される。このケーブルの１つまたは複数の導体を、外側のシールド導体が取り囲む。シールド導体も同様に、十分に低い温度で超伝導状態に切り替わる材料からなりうる。ただし、このシールド導体もまた、超伝導材料と常伝導材料の組合せ、あるいは常伝導材料のみで構成されうる。これらの導体およびシールド導体は、いずれの場合も、電気絶縁層によって互いに分離された形で配置される。これらの導体およびシールド導体と、それらの間に位置する電気絶縁体は、冷却剤を含んだ断熱シース内に配置される。これに適した冷却剤は、例えば液体状態の窒素や、ヘリウムなどである。
【０００３】
超伝導ケーブルの端部はそれぞれ、冒頭で述べたように、終端部を備える。この終端部により、送電区画の両側で、冷却された超伝導系から周囲温度または室温の常伝導系への、電気的かつ熱的な移行が可能になる。常伝導系は、例えば高電圧給電系や配電系である。
【０００４】
この種の終端部は、例えば特許文献１に記載されている。この終端部は、超伝導ケーブルの各導体に対して電気伝導体を備えるブッシングを有する。ブッシングの電気伝導体は、例えば、一方の端部が超伝導体に、もう一方の端部が常伝導体に接続されるコネクタである。
【０００５】
この種の終端部は、好ましくは垂直に使用される。この垂直配置は、詳細には、終端部の高電位にある端部が地面からできるだけ遠ざけられた、省スペースの配置である。
【先行技術文献】
【特許文献】
【０００６】
【特許文献１】欧州特許第１６１７５３７号明細書
【発明の概要】
【発明が解決しようとする課題】
【０００７】
本発明は、単純な構造であると同時に、全ての熱的／電気的要件を満たす、超伝導ケーブル用の終端部を提供する目的に基づいている。
【課題を解決するための手段】
【０００８】
本発明によると、この目的は、シースの各上端で、上記終端部の上記内側シースは、第１の破裂ディスクによって閉鎖され、上記終端部の上記外側シースは、第２の破裂ディスクによって閉鎖されることで、達成される。
【０００９】
内側スリーブと外側スリーブの各上端に破裂ディスクを配置することにより、万一破裂した場合は漏れていく液体窒素などの冷却剤が、そこから周囲空気に直接放出され、蒸発できる。流出または排出ガスの管路が不要になる。このようにして、終端部の構造がかなり単純化される。
【００１０】
本発明の目的はさらに、シースの各上端で、上記終端部の上記内側シースは、内側終端プレートによって閉鎖され、上記終端部の上記外側シースは、外側終端プレートによって閉鎖され、上記ケーブルの上記少なくとも１つの導体が上記内側終端プレートに電気的に接続され、上記内側終端プレートが上記外側終端プレートに電気的に接続されることで、達成される。
【００１１】
本発明による終端部により、その終端部と超伝導ケーブルとの特に単純な接続が可能になる。したがって、上記終端部の組み立ては単純化され、既知の終端部よりも費用対効果が大きい。
【００１２】
本発明による終端部の事例では、上記ケーブルの上記少なくとも１つの導体が、上記ケーブル端部に取り付けられたプラグによって上記内側終端プレートに接続されうる。上記内側終端プレートは、プラグまたは可撓性を有する導体リボンによって、外側終端プレートに接続されうる。
【００１３】
本発明による終端部の事例では、上記ケーブル端部の上記少なくとも１つの導体が、有利には、外側に向かって側方に延びる接触要素に、電気的に接続されうる。
【００１４】
ケーブル端部の冷却に必要な冷却剤は、有利には、電気絶縁材料からなる冷却管によって、終端部の、接地電位に接続された下側部分から、上記終端部の内部を、高電圧の上側部分まで案内されうる。上記終端部の、接地電位に接続された下端のところで冷却管に冷却剤を導入することにより、その終端部の取り扱いと、その終端部と冷却設備との接続が単純化される。上記終端部の上端のところで内側シースに冷却剤を導入することにより、終端部内の熱的な層形成と、気泡の形成が防止される。冷却管は、内側シースの内部に延び、その内側シースに対して同心に配置されてもよく、したがって、それに供給される冷却剤は、内側シースと冷却管の間にある中間空間内を上向きに運ばれる。この冷却管はまた、冷却剤を内側スリーブと外側スリーブの間にある高電位部分まで運びうる。終端部の内部に冷却管が延びることにより、終端部の外側における断熱・電気絶縁供給管路も不要になる。
【００１５】
他の態様によると、本発明は、超伝導ケーブル用の終端部を組み立てる方法に関する。上記ケーブル・クライオスタットに接続される可撓性を有するクライオスタットが、水平位置で、突出するケーブル端部をまず覆ってから、上記ケーブル・クライオスタットの端部に嵌められ、上記クライオスタットは、２つの可撓性を有する管で構成され、この管は、互いに同心に配置され、真空断熱された間隙によって互いに分離されている。上記終端部が、同様に水平位置で、上記ケーブル端部と、そのケーブル端部に取り付けられた上記クライオスタットとに接続される。次に、上記終端部が、組み立て済みの状態で垂直位置に移され、上記可撓性を有するクライオスタットとその中に位置する上記ケーブルが、折り曲げられる。
【００１６】
本発明による方法の事例では、上記終端部は、高い可撓性を有するクライオスタットによって、超伝導ケーブルの端部に接続される。上記２つの組み立てステップは、有利には、水平位置で実行され、その結果、この作業ステップは、垂直の組み立てに比べてかなり単純化される。組み立て作業が完了した後、組み立て済みの終端部は垂直位置に移される。高い可撓性を有するクライオスタットを用いることから、ケーブル・クライオスタットと終端部クライオスタットの間の接続箇所で組み立て中に生じうる、損傷を招く望ましくない応力が、ケーブル・クライオスタットと終端部の間の境界部のところで回避される。組み立て作業中に、可撓性を有するクライオスタット部分とその中に配置された超伝導ケーブルのみが、約９０°にわたって折り曲げられる。
【００１７】
本発明はまた、超伝導ケーブル用の終端部を組み立てるための接続クライオスタットに関し、
上記接続クライオスタットは、２つの可撓性を有する管で構成され、上記管は、互いに同心に配置され、真空断熱された間隙によって互いに分離され、
上記接続クライオスタットは、上記ケーブル端部に嵌められ、一方の端部が上記内側シースに、もう一方の端部が上記ケーブル・クライオスタットに接続され、
上記接続クライオスタットは、水平に配置された上記ケーブルと垂直に配置された上記終端部との間の組み立て位置で折り曲げられる。
【００１８】
本発明の対象の例示的な実施形態が各図面に示されている。
【図面の簡単な説明】
【００１９】
【図１】本発明の例示的な一実施形態による終端部の断面図である。
【図２】他の例示的な実施形態による終端部の断面図である。
【図３】（Ａ）および（Ｂ）は、本発明による終端部の他の２つの例示的な実施形態の細部の概略図である。
【図４】本発明による方法に従って組み立てられた終端部の図である。
【発明を実施するための形態】
【００２０】
各図面において、同一の参照符号は同じ技術的特徴に関連する。
【００２１】
図１および２に、本発明の各実施形態による終端部１が示されている。終端部１は、垂直に配置されている。超伝導ケーブル２の端部が、終端部１に配置されている。超伝導ケーブル２は、１つまたは複数の同心に配置された電気伝導体と、１つのシールド導体を有しうる。図示されている例では、ケーブル２は、１つの電気伝導体と、１つのシールド導体を有する。ケーブル２は、送電区画全体にわたって、ケーブル・クライオスタット３２によって取り囲まれている。ケーブル２の端部は、ケーブル・クライオスタット３２の端部を越えて突出している。
【００２２】
超伝導ケーブル２の導体は、ブッシング７の電気伝導体に接続され、このブッシング７は、高電位にあり、終端部１の外部にあるエネルギー供給システム（図示せず）への電気的接続を確立する。他のブッシング８は、超伝導ケーブル２のシールド導体を、接地電位に接続する働きをする。２つのブッシング７、８は、終端部１から側方に延びる側方ブッシングである。これの代替として、高電位用のブッシングは、終端部１から上向きにも延びうる。
【００２３】
終端部１は、図１および２に示されているように、大部分は内側シース３と外側シース４で実質的に構成される。シース３、４はそれぞれ、例えば回転対称の管ピースとして具体化される。内側シース３は、例えばガラス繊維強化プラスチック（ＧＦＲＰ）などの複合材料やセラミックの電気絶縁材料からなる。内側シース３および外側シース４はそれぞれ、少なくともブッシング７と８の間の領域Ｂでは、電気絶縁材料からなる。さらに、シース３、４は、上側ブッシング７の上に位置する終端部の領域Ａと、下側ブッシング８の下に位置する終端部の領域Ｃでは、金属で構成されうる。内側および外側シース３、４のこれらの部分ピースは、例えば金属フランジ継手９ａ、９ｂ、１０ａ、１０ｂなどによって、互いに接続される。
【００２４】
内側シース３は、ケーブル端部を冷却するための冷却剤を運ぶ働きをし、例えばフランジ継手などによって、ケーブル・クライオスタットに接続される。
【００２５】
外側シース４は、有利には、例えば外側表面にシリコーンリブ４ｂが取り付けられたＧＦＲＰなどで構成される複合碍子を形成する。外側シース４は内側シース３と共に、中間空間５を形成し、この中間空間５には断熱材が充填される。この断熱材は、例えば断熱発泡体やガラスビーズなどで構成されうる。さらに、中間空間５内の断熱効果を向上させる目的で、周辺領域に対して陰圧が生成されうる。
【００２６】
図示されている例示的な実施形態では、内側シース３内に突出しているケーブル端部が電界制御電極６を備える。この電界制御装置は、ケーブル端部における電界強度の過剰な局所的増大を避けるために必要である。他の例示的な実施形態によると、電界制御装置は、導電性の挿入体からなる装置で構成された容量性の電界制御装置として実装されうる。図１および２において参照番号１３および１４で示されているリングは、高電位または接地電位にある金属フランジ９と１０の間の電界制御の働きをするシールド装置を示す。
【００２７】
図１による例示的な実施形態では、内側シース３は、その上端で第１の破裂ディスク３ａによって閉鎖され、外側シース４は、その上端で第２の破裂ディスク４ａによって閉鎖されている。破裂ディスク３ａ、４ａは、好ましくは金属、例えば鋼鉄などからなる。破裂ディスク３ａ、４ａのところで所定の圧力を超えると、それらの破裂ディスクは破裂して開き、終端部１の残りの構成部品は損傷を受けない。第２の外側破裂ディスク４ａは、有利には、内側破裂ディスク３ａよりもかなり低い応答圧力で設計される。
【００２８】
冷却剤は、冷却剤供給装置によって終端部１に供給される。これが図２に示されている。冷却剤供給装置は冷却管１５で構成され、冷却管１５は冷却剤を、終端部１の、接地電位に接続された下側領域Ｃから、高電位にある上側領域Ａへと運ぶ。冷却管１５は、全体が絶縁材料で構成されてもよく、あるいは終端部１の領域Ｂは絶縁材料で、領域ＡおよびＣは金属で構成されてもよい。冷却管は、その下端１６のところで、冷却設備（図示せず）に接続される。ただし、上側領域Ａへの供給は、別の適切な形でも行われうる。
【００２９】
図３（Ａ）および図３（Ｂ）にそれぞれ、本発明の他の２つの実施形態による終端部の上端が示されている。原則的に、この終端部の構造は、図１および２に関してすでに説明したものと同じである。図３（Ａ）および図３（Ｂ）による例は、超伝導ケーブル２との接触接続が上記の例と異なる。図１および２によると、ケーブルと接触接続するためのブッシング７、８は、終端部１から側方に延びる。図３（Ａ）および図３（Ｂ）に記載されている例では、ケーブル端部２は、終端部から直接上方に延びる接続要素に接続される。ケーブル２の導体２ａは、プラグ１７によって第１の内側終端プレート１８に接続される。それと同時に、内側終端プレート１８は、内側シース３をその上端のところで閉鎖する。外側シース４は、第２の外側終端プレート１９によって閉鎖される。外側終端プレート１９は、高電位にあるブッシングに相当する。内側終端プレート１８と外側終端プレート１９は、導電性の接触要素２０ａ、２０ｂによって互いに接続される。この導電性の接触要素は、例えば図３（Ａ）に示されているように、可撓性を有する導体リボン２０ａにしうる。導電性の接触要素はまた、第２のプラグ２０ｂにしうる。第２のプラグ２０ｂは、図３（Ｂ）に示されているように、その挿入のために設けられた２つの終端プレート１８、１９のレセプタクル２１ａ、２１ｂのそれぞれに、挿入される。
【００３０】
図４に、本発明の方法に従って組み立てられた終端部１が示されている。この方法によると、高い可撓性を有するクライオスタット３０がまず、ケーブル端部を覆って水平位置に配置される。本発明による可撓性を有する接続クライオスタット３０は、２つの高い可撓性を有する管で構成される。この２つの管は、互いに同心に配置され、真空断熱された間隙３１によって互いに分離されている。これらの管は、例えば金属製の波形管である。高い可撓性を有するクライオスタット３０は、ケーブル・クライオスタット３２に接続される。次に、ケーブル端部と可撓性を有するクライオスタット３０が、同様に水平位置で、例えば図１および２に関して説明したように、終端部１に接続される。このとき、ケーブル端部は終端部１の内側シース３内に位置する。次に、終端部１が、図４に示されているように、組み立て済みの状態で垂直位置まで移される。この工程で、高い可撓性を有するクライオスタット３０とその中に位置するケーブル２は、約９０°にわたって折り曲げられる。このとき、接続クライオスタット３０は、一方の端部が内側シース３に接続され、もう一方の端部がケーブル・クライオスタット３２に接続されている。接続クライオスタット３０の真空チャンバ３１は、有利には、終端部１の内側シース３と外側シース４の間にある中間空間５から分離される。その結果、接続クライオスタット３０は、早ければ終端部１の設置前に、排気できる。
【符号の説明】
【００３１】
１  終端部
２  超伝導ケーブル
２ａ  ケーブル２の導体
３  内側シース
３ａ  第１の破裂ディスク
４  外側シース
４ａ  第２の破裂ディスク
４ｂ  シリコーンリブ
５  中間空間
６  電界制御電極
７  ブッシング
８  ブッシング
９  金属フランジ
９ａ  金属フランジ継手
９ｂ  金属フランジ継手
１０  金属フランジ
１０ａ  金属フランジ継手
１０ｂ  金属フランジ継手
１３  リング
１４  リング
１５  冷却管
１６  冷却管の下端
１７  プラグ
１８  第１の内側終端プレート
１９  第２の外側終端プレート
２０ａ  導体リボン
２０ｂ  第２のプラグ
２１ａ  レセプタクル
２１ｂ  レセプタクル
３０  接続クライオスタット
３１  接続クライオスタット３０の真空チャンバ
３２  ケーブル・クライオスタット
【図１】
2018198195.tif 000002
【図２】
2018198195.tif 000003
【図３】
2018198195.tif 000004
【図４】
2018198195.tif 000005
【外国語明細書】
2018198195.tif 000006
2018198195.tif 000007
2018198195.tif 000008
2018198195.tif 000009
2018198195.tif 000010
2018198195.tif 000011
2018198195.tif 000012
2018198195.tif 000013
2018198195.tif 000014
2018198195.tif 000015
2018198195.tif 000016
2018198195.tif 000017
2018198195.tif 000018
2018198195.tif 000019
【図１】
2018198195.tif 000020
【図２】
2018198195.tif 000021
【図３】
2018198195.tif 000022
【図４】
2018198195.tif 000023